(57)【要約】本発明は東洋医学の治療法の中で，薬剤の配合原理を造景と植木鉢に利用することに関するものである。より詳細には一般的な造景の視覚的な美しさと差別化させ，造景素材である植物を成分と効能により分類し，代表的な東洋医学書籍である“東医宝鑑”， “医方類聚”，“東医寿世保元”の処方名と処方原理に基づく病気ごとに薬剤の配合が異なる原理を，造景と鉢植え方法に利用することである。造景の主な素材は薬用植物であり，薬草以外の薬用動物やきのこ類，根っこのこぶなどは処方の本来意向を害しないで誰でも共感できる素材に変える。理解を助けるために，漢方医学の処方の中，体を保護する処方である“十全大補湯”と“十全大補湯”を造景に表現した方法を，例をあげて説明する。１．東医宝鑑の十全大補湯高麗人参，百朮，茯苓，甘草， 川弓，當歸， 芍薬， 熟地黄， 桂皮（肉桂），黄耆で構成する。２．十全大補湯を利用した造景と鉢植え方法高麗人参，百朮，松，甘草，甘草，川弓，當歸，芍薬，熟地黄，桂皮（肉桂），黄耆で構成する。茯苓⇒松，熟地黄⇒ 地黄，肉桂⇔ 桂皮上記の構成により，東洋医学に基づいた新しい造景方法を開発することを特徴とする。【特許請求の範囲】
【請求項１】
東洋医学の処方箋原理を用いて造景設計を行うことに
より親密感を創出する東洋医学の処方箋に基づいて造景の名称を決定する方法。
例えば，高麗人参，百朮，甘草，松(ginseng, Atractylodes japonica koids, Glycyrrhiza uralensis Fisch, Pinus densiflor)を用いた造景の名称を四君子湯造景，當歸，川弓，芍薬，地黄（Angelica gigas Nakai, Cnidium oficinale, Paeonia lactiflora Pall, Rehmannia glutionosa Libosch）を用いた造園の名称を四物湯造景，高麗人参，百朮，甘草，松，當歸，川弓，芍薬，地黄(ginseng, Atractylodis Rhizoma, Glycyrrhizae Radix, Poria cocos, Angelicae gigantis radix, Cnidium rhizome, Paeoniae radix, Rehmanniae radix preparata)を用いた造景の名称は八物湯造景，高麗人参，百朮，甘草，松，當歸，川弓，芍薬，地黄，黄耆，桂皮（ginseng, Atractylodis Rhizoma, Glycyrrhizae Radix, Poria cocos, Angelicae gigantis radix, Cnidium rhizome, Paeoniae radix, Rehmanniae radix preparata, Astrugalus membranaceus Bunge var, Cinnamon）を用いた造景の名称は十全大補湯造景とする。
【請求項２】
東洋医学の処方箋原理を用いて鉢植え設計を行うことにより親密感を創出する東洋医学の処方箋に基づいて鉢の名称を決定する方法。
例えば，高麗人参，百朮，甘草，松(ginseng, Atractylodes japonica koids, Glycyrrhiza uralensis Fisch, Pinus densiflor)を用いた鉢植えの名称を四君子湯鉢，當歸，川弓，芍薬，地黄（Angelica gigas Nakai, Cnidium oficinale, Paeonia lactiflora Pall, Rehmannia glutionosa Libosch）を用いた鉢植えの名称を四物湯鉢，高麗人参，百朮，甘草，松，當歸，川弓，芍薬，地黄(ginseng, Atractylodis Rhizoma, Glycyrrhizae Radix, Poria cocos, Angelicae gigantis radix, Cnidium rhizome, Paeoniae radix, Rehmanniae radix preparata)を用いた鉢植えの名称は八物湯鉢，高麗人参，百朮，甘草，松，當歸，川弓，芍薬，地黄，黄耆，桂皮（ginseng, Atractylodis Rhizoma, Glycyrrhizae Radix, Poria cocos, Angelicae gigantis radix, Cnidium rhizome, Paeoniae radix, Rehmanniae radix preparata, Astrugalus membranaceus Bunge var, Cinnamon）を用いた鉢植えの名称は十全大補湯鉢とする。
【請求項３】
薬草の成分と効能と東洋医学の原理を分析し，症状に応じた処方された薬草を組み合わせて形成される造景。
例えば，高麗人参，百朮，甘草，松(ginseng, Atractylodes japonica koids, Glycyrrhiza uralensis Fisch, Pinus densiflor)を用いた造景の名称を四君子湯造景，當歸，川弓，芍薬，地黄（Angelica gigas Nakai, Cnidium oficinale, Paeonia lactiflora Pall, Rehmannia glutionosa Libosch）を用いた造園の名称を四物湯造景，高麗人参，百朮，甘草，松，當歸，川弓，芍薬，地黄(ginseng, Atractylodis Rhizoma, Glycyrrhizae Radix, Poria cocos, Angelicae gigantis radix, Cnidium rhizome, Paeoniae radix, Rehmanniae radix preparata)を用いた造景の名称は八物湯造景，高麗人参，百朮，甘草，松，當歸，川弓，芍薬，地黄，黄耆，桂皮（ginseng, Atractylodis Rhizoma, Glycyrrhizae Radix, Poria cocos, Angelicae gigantis radix, Cnidium rhizome, Paeoniae radix, Rehmanniae radix preparata, Astrugalus membranaceus Bunge var, Cinnamon）を用いた造景の名称は十全大補湯造景とする。
【請求項４】
薬草の成分と効能と東洋医学の原理を分析し，症状に応じた処方された薬草を組み合わせて形成される鉢。
例えば，高麗人参，百朮，甘草，松(ginseng, Atractylodes japonica koids, Glycyrrhiza uralensis Fisch, Pinus densiflor)を用いた鉢植えの名称を四君子湯鉢，當歸，川弓，芍薬，地黄（Angelica gigas Nakai, Cnidium oficinale, Paeonia lactiflora Pall, Rehmannia glutionosa Libosch）を用いた鉢植えの名称を四物湯鉢，高麗人参，百朮，甘草，松，當歸，川弓，芍薬，地黄(ginseng, Atractylodis Rhizoma, Glycyrrhizae Radix, Poria cocos, Angelicae gigantis radix, Cnidium rhizome, Paeoniae radix, Rehmanniae radix preparata)を用いた鉢植えの名称は八物湯鉢，高麗人参，百朮，甘草，松，當歸，川弓，芍薬，地黄，黄耆，桂皮（ginseng, Atractylodis Rhizoma, Glycyrrhizae Radix, Poria cocos, Angelicae gigantis radix, Cnidium rhizome, Paeoniae radix, Rehmanniae radix preparata, Astrugalus membranaceus Bunge var, Cinnamon）を用いた鉢植えの名称は十全大補湯鉢とする。
【請求項５】
薬草の成分と効能と東洋医学の原理を分析し，症状に応じた処方された薬草を組み合わせて栽培する方法。
例えば，高麗人参，百朮，甘草，松(ginseng, Atractylodes japonica koids, Glycyrrhiza uralensis Fisch, Pinus densiflor)を用いた四君子湯栽培，當歸，川弓，芍薬，地黄（Angelica gigas Nakai, Cnidium oficinale, Paeonia lactiflora Pall, Rehmannia glutionosa Libosch）を用いた四物湯栽培，高麗人参，百朮，甘草，松，當歸，川弓，芍薬，地黄(ginseng, Atractylodis Rhizoma, Glycyrrhizae Radix, Poria cocos, Angelicae gigantis radix, Cnidium rhizome, Paeoniae radix, Rehmanniae radix preparata)を用いた八物湯栽培，高麗人参，百朮，甘草，松，當歸，川弓，芍薬，地黄，黄耆，桂皮（ginseng, Atractylodis Rhizoma, Glycyrrhizae Radix, Poria cocos, Angelicae gigantis radix, Cnidium rhizome, Paeoniae radix, Rehmanniae radix preparata, Astrugalus membranaceus Bunge var, Cinnamon）を用いた十全大補湯栽培をする方法。
【発明の詳細な説明】
【技術分野】
【０００１】
本発明は，漢方処方を用いた造景（landscape architecture）と鉢植え(flower planting)に関する。
【背景技術】
【０００２】
本発明の目的である造景と鉢植えと漢方処方に関して説明する。
【０００３】
造景の目的は，われわれの生活空間上に自然的要素および／または人工的要素を意図的に作成および配置することにより，人口われわれの生活環境を美しく，有用なものとし，健康的なものにすることである。この目的を実現するためには，創造性と技能，そして科学的，文化的，情緒的な知識が要求される。造景様式は，時代によって異なるものの，一般的に，国民性，宗教，気候，風土，風俗，習慣，個人の趣味そして歴史的背景などと密接な関わりがある。造景は，大きく，自然的要素，人工的要素，社会的要素に分割され，地理的には，西欧風造景と東洋風造景に分類される。造景は，庭に栽培を行ったり，オフィスや居間に鉢を置いたりすることにより，自然を所有者の身近にするものである。最近では，ハーブやサボテンやアロマ効果のある植物をインテリア用植木鉢に植えて，健康の増進を図っている。これらの行為の最終目的は，人間が，美しさとともに新鮮な空気や健康的な環境といった，自然の恵みを享受することにある。
【０００４】
植物と人との関係を理解するのに，造景と東洋医学が大いに役立つ。東洋では，昔から植物と人との関係を研究し，医学にまで発展させてきたのである。“植物本草（朝鮮時代半ばに記された専門医学書）“は，さまざまな食物で病気を予防する方法を記録した本であり，１５２６年中国明朝の姚文清により紹介され，その後韓国で刊行されたものである。この本の全体的内容は，水，穀物，野菜，果実，家畜，動物，魚，味の８分野に分けられ，これらが，さらに３８７項目に分けられ，上下２冊に収録されている。それぞれの項目において，該当する植物の味，本性，効果，害毒などが説明されている。これらの項目とともに，巻末には，各種植物に関する論文が収録されている。
【０００５】
また，中国梁国の陶弘景が出した“新農本初経（漢方で用いられる薬草，動物および自然物に関する医学本）”は，すべての薬剤を，上薬１２０種，中薬１２０種，下薬１２５種に分類して，それらの薬効を説明している。
【０００６】
東洋医学は多くのプロセスを経て発展してきており，医方類聚，東医宝鑑により集大成されている。漢方薬は，色々な種類の薬草を混合して作られた薬として，薬草の一つ一つが持っている病理，生理，薬理などの薬性に基づいて処方される。例えば，主成分薬，二次成分薬，効果を強くあるいは弱く調節する調整薬，薬の効能を病巣に導く薬など多くの薬が選択されて配合される。薬理作用と直結する薬性を気味といい，この気味論が薬物の漢方薬の基本学説である。
【発明の開示】
【発明が解決しようとする課題】
【０００７】
このように，漢方薬処方は薬剤の成分と効能を分析し，経験と臨床を通じて体系化された処方の科学であり，哲学でもある。しかし，現在に至るまで，漢方理論は，患者を治療する手段に留まり，他の分野には，漢方医学が活用されていない状況である。東洋医学の処方には，針，附缸，湯薬，丸薬などがあるが，これらの中で薬草を利用した湯薬と丸薬は，造景や鉢植えに応用可能である。本発明の基本は，東医宝鑑，医方類聚，東医寿世保元などの漢方薬医書を参考にしている。
【課題を解決するための手段】
【０００８】
本発明の造景方法と植木鉢栽培方法では，漢方処方を用いるため，既存の造景や鉢植えの目的と特徴である視覚的な効果と生理的な特性よりも，特定の症状に治療効果がある成分と効果に重点をおいた造景方法と植木鉢栽培方法である。ただし，成分と効能に基づいて薬草を組み合わせて，造景や鉢植え開発するため単調になりやすく，また，東洋医学で用いられる植物のみを用いるため植生上の問題が存在する。
【０００９】
以下に，これらの問題点と解決方法を示す。
１．生長環境が異なる薬草で構成される処方の場合には，薬草が生理的環境を克服できるように，造景と鉢植えを開発する。
【００１０】
例えば，高冷地でよく育つ川弓と暑い地方の桂皮木のように生長温度の差がある薬草が処方の素材である場合には，地面に植栽する造景を避け，一定の温度が維持される室内用草花として開発する。
２．東洋医書の処方にある薬用植物以外の薬用動物や，茸類，根っこのこぶなど造景で表現しにくい薬剤は，薬剤と関連性がある素材に変える。
【００１１】
ａ．鹿茸の場合，鹿の模型で代用するか，省略する。
【００１２】
ｂ．松の根っ子に寄生する茸である茯苓の場合，省略するか，あるいは松で代用する。
３．既存の造景と植木鉢の特徴である視覚的な美しさと差別化し，漢方医学の処方原理を造景と植木鉢に適用し，植物を薬効と効果により分類された造景方法と植木栽培方法で差別化する。
４．薬草だけを使用するため生じる単調さを克服するため，多様な素材を開発する。
【発明の効果】
【００１３】
このような構成方法により，漢方医学で患者の治療手段として利用される植物の成分と効能を造景方法に応用し，下記のような特徴を持つ。
１．既存造景方法との差別化
数千種類の多様な処方を適用し，老若男女に応じて差別化して，自らの体質に応じて，また家族の環境により薬草の成分と効果を利用し，多様な造景方法を選択できる。
２．造景の多様性
薬草の加減により全く違う方法の処方の名前を持った造景方法になる多様性を持つ。
３．既存造景の代替効果
薬用植物はハーブであり，芳香性と花をつける種類が多いため，家や事務室などで花卉植物として用いられる。
４．自然親和効果
薬用植物の成分と効能によって分類した造景方法と鉢植え方法により，薬として服用する漢方薬を直接目で眺めて育てながら，造景の究極的目的である自然親和も成し遂げられる。
５．農地活用面から代替作物としての利用
すでに米など競争力を喪失した農地に付加価値が高い造景用薬草は農地活用から代替作物として育てられる。
【００１４】
６．職業群間，東西間の情報交流という社会的な役割の遂
東洋医学の特徴である生活周辺の草の根と植物を研究し，発展させた環境親和的な治療方法を造景と植木鉢に応用し，漢方医学の知識を他の職業群に応用する情報交流という社会的な役割を遂行する。
【００１５】
２１ｃ情報化の主役であるコンピュータも東洋思想である周易の陰陽思想である２進法を導入した東洋と西洋の交流による産物である。
具体的な使用の例をあげてみると，
１．四相医説により分類された自身の体質の補完制としての造景盆。
２．病院の見舞い用：漢方処方による患者の病気に関連した見舞い用処方造景盆栽。
３．補薬処方盆栽を利用したお土産用としての造景，植木鉢。
４．並木および官公庁，建物，家庭の造景樹として処方造景。
５．薬草を育てることで植物と自然に対する勉強。
６．民間療法により，直接栽培した薬草を茶や酒などで利用できる。
【発明を実施するための最良の形態】
【００１６】
西洋医学は，自然科学に基礎をおき，分析的であり，細胞組織を通した観察に集中し，生命を脅かすような外部からの加害要因を防御或いは除去することに特徴がある。これに対して，東洋医学は，東洋哲学的方法に根拠をおき，総合的な生命現象を動的に観察することにより，内在的生命力を滋養して健康を増進することに特徴がある。漢方で使われる薬剤は，芳香性と治療効果を持つハーブである。本発明の目的は，薬草の成分と効果を組み合わせ，特定の病の治療に優れた造景と植木鉢を開発することである。
【００１７】
漢方処方の構成原理を利用し，漢方処方を造景と植木鉢で表現する方法を次の例で説明する。本発明の造景方法は東医宝鑑，医方類聚，東医寿世保元など東洋医書を参考にしており，造景の主な素材は薬用植物である。
【００１８】
いかに，四君子湯，四物湯，八物湯，十全大補湯の例を次のような方法で記述する。
○  処方名：
１．分類（漢方薬処方として）
２．処方材料
３．症状
４．総合的な作用
◎  漢方薬処方を利用した造景と鉢植え方法
１．造景の材料
２．薬草の成分
３．薬草の効能
４．処方名を利用した造景方法と鉢植え方法の特徴
○  処方名：四君子湯
１．分類：男性用の補薬（強壮剤）。
２．処方材料：高麗人参，百朮，白茯苓，甘草で構成される。
３．症状：女性に使われる四物湯と双壁をなす東洋医学上最も優秀な処方の一つで，病院に訪ねて行っても特別な異常はないが，ストレス，運動不足で疲労感が続いて，腰と脚が重く，元気がなくて全身がだるい症状を補充する処方である。
４．総合的な作用
（１）高麗人参は，筋肉の機能を活性化し，サポニンが条件反射機能を強化し，気勢を強化し，非特異的免疫能力を増強するなどの強壮作用があり，白茯苓はアミノ酸，蛋白質，レシチン，カリウムなどの栄養素が細胞に栄養を供給し，百朮はビタミンＡ，Ｄなどを含有する。
（２）高麗人参，百朮の成分は消化管運動力を強化し，消化，吸収を促進する。
（３）百朮，白茯苓は消化管に停滞された老廃物の排出を促進する。
◎  漢方処方を利用した四君子湯造景と四君子湯鉢植え方法
漢方薬処方の四君子湯の名称を造景に適用し，漢方薬の処方原理である薬草の効能と作用を症状別に分類した方法を採用した造景と鉢植え方法である。
１．造景の材料：高麗人参，百朮，甘草，松(ginseng, Atractylodes japonica koids, Glycyrrhiza uralensis Fisch, Pinus densiflor)
２．成分
ａ．高麗人参：高麗人参中には，配糖体（glycosides）成分であるサポニン（saponin）をはじめ，窒素含有化合物として蛋白質，アミノ酸，核酸，アルカロイド，脂溶性成分として脂肪酸，精油，ポリアセチレン，フェノール化合物，パイトステロル，テルペノイド，糖類として単糖類とオリゴ糖，多糖類，ペクチン質そしてビタミン類と無機質など非常に多様な成分が含まれている。
ｂ．百朮：イヌリンの水酸カルシウムの沈状結晶を含有し，揮発性精油成分であるHinesol，Atractylone，AtractulenolideＩ，ＩＩ，ＩＩＩ，β-Eudesmol，ビタミンＡなどを含有する。
ｃ．甘草：フラボノイド，グリシリジン酸，サポニン，クマリン，精油，澱粉，パイトステロル，タンニンおよび酵素などを含有し，甘草の主成分であるグリシリジン酸は蔗糖より５０倍も甘みがある。
ｄ．白茯苓：アミノ酸，蛋白質，レシチン，カリウムなどを含有する。
ｅ． 松：松葉のテルペン，フェノール化合物，タンニンなどを含有する。
３．薬草の効能
ａ．高麗人参の効能：強壮・強情・健胃整腸剤錠で補血・食欲不振・更年期障害・疲労の防止と回復・リューマチ・糖尿病・肝臓病・性無力症・精子欠乏症・老化防止に使う。
ｂ．百朮の効能：水分代謝不全に対し利尿・発汗作用をしながら，疼痛， 胃腸炎，むくみに利き目がある。民間では，血圧降下剤として使われる。
ｃ．甘草の効能：主に消化器，循環系，耳鼻咽喉科疾患などと，薬剤の中和剤，解毒剤として使用する。
ｄ．茯苓の効能：消化管に溜まった老廃物の排出の促進により，皮膚をきれいで潤沢にし，シミを防止する。
ｅ．松：松成分の一つのα-pineneは森の中で安らぎを感じる時のように目の紅彩幅が広くなり，樹木香は血流，脈拍および血圧を変化させる。松葉の重要成分とされるテルペンに分類される揮発性香物質は，皮膚と粘膜に付けるとそれが刺激となり，脳を刺激し，興奮または鎮静作用をするため，香療法（aromatheraphy）にも使われる。
４．四君子湯を利用した造景方法と鉢植え方法の特徴
漢方薬としての四君子湯は，男性の力を回復する補薬（強壮剤）である。四君子湯を利用した植木鉢の名称と構成方法は，漢方薬処方中，男性の力を回復する処方名である四君子湯を造景と鉢植え名にし，四君子湯と一体性を有するように，高麗人参，百朮，甘草，白茯苓が有機的に組み合わされ，男性の力回復を助ける成分を含有した薬草構成を特徴としている。
【００１９】
漢方薬処方の四君子湯の薬剤では，白茯苓だが，白茯苓は松根っこに寄生する茸であるため，造景と植木鉢に使いにくいため，白茯苓の宿主である松にかえる。
○  処方名：四物湯
１．分類：女性の補薬である。
２．処方材料：當歸，川弓，白芍薬，地黄で構成される。
３．症状：骨髄の造血機能が弱かったり鉄分供給が不足ししたり，貧血が激しく，血管運動力が低下して血液循環がよくないため，めまい，虚弱，冷え性，習慣性流産，下血などの症状がある時，鉄分を供給して骨髄を刺激し，赤血球生成力を強化することによって虚血症状を改善する。血管運動力を強化して血管を拡張し，血液循環を促進する。子宮発育を促進して子宮平滑筋の弾力を強化し，流産を防止する。
４．総合的な薬剤作用
（１）當歸，熟地黄は造血作用をして，貧血を緩和する。
（２）當歸，芍薬は血管を拡張し，川弓は血管運動力を強化し，血液循環を促進する。
（３）當歸は流産を防止する。
◎  漢方薬処方を利用した四物湯造景と四物湯鉢植え方法
漢方薬処方の四物湯の名称を造景に適用し，四物湯漢方薬の処方原理である薬草の効能と作用を症状別に分類した方法を適用した造景と鉢植え方法である。
１．造景の材料：當歸，川弓，白芍薬，地黄（Angelica gigas Nakai, Cnidium oficinale, Paeonia lactiflora Pall, Rehmannia glutionosa Libosch）
２．成分
ａ．當歸：芳香成分である精油，鎮静作用をするベタシトステロルが含有されており，その他に蔗糖，ニコチン酸，葉酸などの成分を含有する。
ｂ．川弓：根幹は精油を含有する。
ｃ．白芍薬：配糖体であるペオニプルロリン  Ｃ２２Ｈ２８０１１   １．５〜６％とアルカロイドであるペオニン，樹脂，糖，澱粉，サリシル酸，精油を含有する。
ｄ．地黄：糖，カロテン，サイトステロル，ビタミンＡ，カタルポルなどを含有する。
３．薬草の効能
ａ．當歸の効能：代表的な補血剤で，女性の産後出血が原因の貧血と生理不順，生理痛，無月経などに薬剤として使われる。また，胸がドキドキするとき，健忘症，不眠症，精神不安症などに効果がある。當歸はあざにも効果があり，打撲傷や血が固まったり，そのため腹が痛くなったり，便が固まった時使用すると良い。その他に体内を温め，陣痛にも効果があり，体内がつめたくて気血が詰まった場合，経絡が詰まって生じる腹痛，横腹痛み，骨節がいたい時にも良い。
ｂ．川弓の効能：性質は暖かくて毒がなく，味は辛くて苦い。血をきれいにして高血圧などの成人病予防に特効があり，肥満，鎮静，陣痛に効くので，強壮剤として使われ，婦人病にも良い効果がある。
ｃ．芍薬の効能：芍薬は補血，補陰，止痛剤として筋肉の痙攣，腹痛，手足の疼痛などに使う。白芍薬の有効性分であるペオニプルロリンは，鎮静作用，痛み止め，解熱作用があり，若干の鎮痙作用もあるため，蔵の痙攣が激しい痙攣性便秘患者の場を鎮静させる。末梢作用では消炎作用，潰瘍予防効果が少々ある。
ｄ．地黄の効能：止血，解熱，強心，利尿，解毒，糖尿，補血気，滋養強壮，神経衰弱などに効果のある漢方薬原料で広く使われている。
４．四物湯を利用した造景方法と鉢植え方法の特徴
四物湯を利用した植木鉢の名称と構成方法は女性の力を回復する漢方薬処方である四物湯を造景と植木鉢名にし，四物湯と一体性を有するように，當歸，川弓，白芍薬，地黄を有機的に組み合わせて，女性の力回復に効果を持つ成分を含む薬草から構成される。
【００２０】
漢方薬処方の四物湯の薬剤の中で，熟地黄は地黄を酒で９回法製したもので，造景と植木鉢で使いにくい熟地黄を地黄に変えた。
○  処方名：八物湯
１．分類：補薬
２．処方材料：四君子湯（高麗人参，百朮，甘草，茯苓）＋四物湯（當歸，川弓，白芍薬，地黄）で構成される。
３．症状：人体機能を強化させて，新陳代謝を調節，また体の免疫機能を強化させることで，刺激に対する抵抗力を高め，老衰を防ぐ。そして体の中の解毒機能を増進させるなどの効果がある。
４．薬剤の総合的な薬剤作用  高麗人参，百朮，白茯苓，甘草，熟地黄，芍薬，川弓，當歸は気と血に良い効果がある。補気薬である四君子湯と補血薬である四物湯を併合して，各薬剤が含有した成分の結合で全身強壮補血作用がある。慢性消耗性病気の回復期，各種貧血，月経不順症状にも効果がある。
◎  漢方薬処方を利用した八物湯造景と八物湯鉢植え方法
漢方薬処方の八物湯の名称を造景に適用し，八物湯と一体性を有するように，八物湯漢方薬の処方原理である薬草の効能と作用を症状別に分類した方法を適用した造景と植木鉢を作る方法である。
１．造景の材料：高麗人参，百朮，甘草，松，當歸，川弓，白芍薬，地黄
２．成分
四君子湯造景  ＋  四物湯造景  ＝  八物湯造景
３．薬草の作用
四君子湯造景  ＋  四物湯造景  ＝  八物湯造景
４．八物湯を利用した造景方法と鉢植え方法の特徴
八物湯を利用した植木鉢の名称と構成方法は，強壮補血作用をする処方名の八物湯を造景と植木鉢名にし，四君子湯と四物湯を併合して，各薬剤を有機的に組み合わせる。全身強壮補血作用に効果を持つ成分を含む薬草が使われる造景方法と植木鉢植栽方法である。
○  十全大補湯
１．分類：補薬
２．処方材料：八物湯  ＋  黄耆  黄耆，桂皮（肉桂）で構成される。
【００２１】
貧血，食欲不振と免疫能力の低下による慢性炎症に苦しめられ，細胞の栄養欠乏による盗汗（睡眠中の冷や汗）があり，虚弱の時，中枢神経の機能を活性化し，代謝機能を増進することによって非特異的免疫能力を強化する。（強壮作用）骨髄を刺激し，赤血球生成を強化して虚血を改善する。血液循環を促進する。
３．薬剤の総合的な薬剤作用
（１）肉桂，當歸，川弓，熟地黄，芍薬は血液循環を促進し，造血作用をして，貧血を改善する。
（２）高麗人参，百朮，芍薬，生姜は胃腸運動能力を強化して，消化を増進する。
（３）高麗人参，茯苓，黄耆は栄養を供給して，身体代謝を活性化して睡眠中の冷や汗を緩和する。
（４）黄耆，肉桂は収斂作用が強くて潰瘍を修復する。
（５）茯苓，百朮はむくみに利尿作用をする。
◎  漢方薬処方を利用した十全大補湯造景と十全大補湯鉢植え方法
漢方薬処方の十全大補湯の名称を造景に適用して，十全大補湯と一体感を持つように，十全大補湯漢方薬の処方原理である薬草の効能と作用を，症状別に分類した方法を適用した造景と鉢植え方法である。
４．十全大補湯を利用した造景方法と鉢植え方法の特徴
名称：十全大補湯の処方原理を薬草の構成方法で利用したので，十全大補湯と一体感を有するように，造景と植木鉢の名称を十全大補湯にする。
【００２２】
造景と植木鉢植栽原理：
十全大補湯の薬剤の成分と効能を症状に結合させた構成原理を利用し，十全大補湯を表現した造景方法と植木鉢植栽方法を特徴にする。
（１）造景の材料：高麗人参，百朮，甘草，松，當歸，川弓，白芍薬，地黄，黄耆，桂皮（肉桂）
（２）成分：八物湯（四君子湯  ＋  四物湯）＋  黄耆，桂皮  ＝  十全大補湯
ａ．黄耆の成分：配糖体，フラボノイド，アルカロイド，糖類，アミノ酸，コリン，澱粉などを含有する。
ｂ．桂皮の成分：主要成分はアルデヒドに属するが，桂皮油，澱粉，粘液，樹脂などを含有する。
（３）薬草の効能
ａ．黄耆の効能：体力を増強させる基本生薬として貧血をなくし，汗を治めて，皮膚と筋肉をしっかりしるので，女性の場合激しい子宮粘膜出血を防ぐことができ，産前産後体力増強に良い。
ｂ．桂皮の効能：冠状血管，新血管を拡張させて強心，利尿と強圧作用がある。皮膚の血液循環と栄養状態を改善し，怪死細胞の活力を回復させるので慢性潰瘍を治療できる。性ホルモンと類似した作用と中枢神経を興奮させる作用がある。肝を保護してGlycogenの減少を防止する。蛋白尿を除去する効果がある。
葡萄双球菌，肺炎双球菌，異質桿菌，ジフテリア菌等に対して坑菌作用がある。
【国際公開パンフレット】
2004521639.tif 000002
2004521639.tif 000003
2004521639.tif 000004
2004521639.tif 000005
2004521639.tif 000006
2004521639.tif 000007
2004521639.tif 000008
2004521639.tif 000009
2004521639.tif 000010
2004521639.tif 000011
2004521639.tif 000012
2004521639.tif 000013
【国際調査報告】
2004521639.tif 000014
2004521639.tif 000015